(57)【特許請求の範囲】
【請求項１】
左右光軸を有する双眼用の立体顕微鏡において、
対物レンズユニットと、
接眼レンズを有する接眼鏡ユニットと、
前記対物レンズユニットと接眼鏡ユニットとの間に配置される変倍光学系ユニットと、
前記左右光軸の相対位置を変えて実体角を変換する実体角変換部、及び前記実体角変換部を前記左右光軸上に対して挿脱する手段からなり、前記対物レンズユニットと前記変倍光学系ユニットとの間に着脱可能に装着される実体角変換ユニットと、
前記変倍光学系ユニットと前記接眼鏡ユニットとを前記左右光軸と平行な方向に移動させるための移動手段と、
を備え、
前記実体角変換ユニットを脱した場合、前記移動手段により、当該実体角変換ユニットを脱したことにより発生する前記左右光軸上のスペースを埋める方向に、前記変倍光学系ユニットと前記接眼鏡ユニットとを移動させること、
を特徴とする立体顕微鏡。
【請求項２】
前記実体角変換部は異なった実体角に変換するための複数の変換器を有することを特徴とする請求項１に記載の立体顕微鏡。
【請求項３】
前記対物レンズユニットは、焦点距離の異なる対物レンズユニットに交換可能であること、
を特徴とする請求項１又は２に記載の立体顕微鏡。
【請求項４】
前記移動手段により、前記変倍光学系ユニット及び前記接眼鏡ユニットを前記対物レンズユニットの焦点距離を基にして移動させること、
を特徴とする請求項１乃至３に記載の立体顕微鏡。
【請求項５】
上記請求項１乃至４の何れかに記載の立体顕微鏡と、
前置きレンズと、
前記前置きレンズを前記左右光軸と平行な方向に移動させる手段と、
を備えたことを特徴とする細隙灯顕微鏡。
【請求項６】
上記請求項１乃至４の何れかに記載の立体顕微鏡と、
前置きレンズと、
前記前置きレンズを前記左右光軸に対して挿脱する手段と、
を備えたことを特徴とする細隙灯顕微鏡。
【発明の詳細な説明】
【０００１】
本発明は、被検者の目の観察や検査等に用いられる立体顕微鏡及び細隙灯顕微鏡に関する。
【０００２】
【従来の技術】
一般に、立体顕微鏡は、工業用、医療用等の広範囲の分野において適用されているが、その使用目的は単に観察対象物である被検者の目等を拡大観察するのみならず、被検者の目に対して精細な観察や検査を行うためである。従って、このような立体顕微鏡としては、検者が楽な姿勢で被検者の目の観察や検査を行えることが望まれる。
【０００３】
例えば、細隙灯顕微鏡に用いられる従来の双眼用の立体顕微鏡は、被検者の目と対向する対物レンズユニットと、対物レンズユニットを通った観察光束に関して変倍を行う変倍光学系ユニットと、変倍を行った観察光束を所定の位置に結像して観察像を得る結像レンズ、結像レンズにより得られた観察像を正立させる正立プリズム、および接眼レンズを有する接眼鏡ユニットとによって構成されている。
【０００４】
このような立体顕微鏡は例えば１３゜の固定実体角を有しており、このような立体顕微鏡を用いることにより被検者の目の前部に対して上記固定実体角で立体目視が可能である。一方、被検者の目の後部を観察するためには、さらにレンズを付加する。しかし、双眼視野が非常に小さくなる場合には、双眼用の立体顕微鏡による双眼での観察は困難または不可能である。
【０００５】
また、特公平７−１１１５０７号に記載されている双眼用の立体顕微鏡によれば、対物レンズと上述の変倍光学系ユニットに対応する倍率変換器との間に回転可能な光学本体を備えた実体角変換器が設けられており、この実体角変換器の回転可能な光学本体によって部分光ビームの光軸の相対位置を変えることにより実体角を変え、被検者の目の前部および後部を観察することを可能としている。すなわち、この回転可能な光学本体を例えば９０゜回転させることにより、部分光ビームの左右光路（軸）の間の距離が光学本体と対物レンズとの間の領域において狭くなり、これにより実体角を小さくしている。
【０００６】
ところで、被検者の眼底を観察する場合には、従来から、直像鏡や倒像鏡等のような検眼鏡、眼底カメラ、スリットランプ、走査型レーザ装置等が用いられている。スリットランプは、眼科領域では不可欠であり、眼科における聴診器ともいわれるくらい一般的な器械である。とりわけ、非接触の前置きレンズを用いた細隙灯顕微鏡による眼底観察は、非常に簡便であり、また非接触であるために被検者に不快感を与えないことから、日常の眼科診療において広く行われている。また、前置きレンズの光学的性能も非常に向上しており、前置きレンズを用いた細隙灯顕微鏡による被検者の眼底観察は次のようにして行われている。
【０００７】
（１）検者が前置きレンズを手で保持した状態で、細隙灯顕微鏡を操作しながら前置きレンズを被検者の眼底が観察できる位置に移動させて眼底観察を行う。
【０００８】
（２）前置きレンズを手で保持する代わりに、前置きレンズを保持するための保持装置を用いて前置きレンズを固定して眼底観察を行う。
【０００９】
【発明が解決しようとする課題】
しかし、従来の立体顕微鏡では、対物レンズユニットと、変倍光学系ユニットと、結像レンズ、正立プリズム、および接眼レンズを有する接眼鏡ユニットとを備えた顕微鏡部と、この顕微鏡部を支える顕微鏡アーム部とが一体化されていたため、実体角は被検者の目の前部または後部の観察用に固定されていた。従って、被検者の目の前部および後部の両方の観察を１つの立体顕微鏡で行うことはできなかった。
【００１０】
また、上述した特公平７−１１１５０７号に記載されている立体顕微鏡では、実体変換器の回転可能な光学本体を回転させることにより実体角を変化させ、これにより被検者の目の前部および後部の観察を可能としている。しかし、この場合、被検者の目の前部と後部とをそれぞれ観察する場合において必要な実体角を得るためにその光学本体をそれぞれ正確な回転角度で回転して固定する必要がある。もし、被検者の目の例えば前部を観察するための所定の実体角を得るために必要な回転角度で光学本体を正確に固定することができなければ、被検者の目の前部の観察に必要な正確な光軸を得ることができず、被検者の目の前部の観察に不具合が生じる。また、光学本体の回転角度のわずかのずれは光軸の精度に大きな影響を与えるので、光学本体の回転角度の調整が難しい。
【００１１】
さらに、上述した顕微鏡アーム部と一体化された従来の立体顕微鏡の顕微鏡部においては、１種類の焦点距離を有する対物レンズユニットが固定して設けられているだけであり、異なった焦点距離を有する対物レンズユニットを交換して焦点距離を変更するための機構を備えていなかった。従って、立体顕微鏡にレーザ装置等の付属品を取り付けることができなかった。
【００１２】
さらにまた、上述した前置きレンズを用いた眼底観察において、この操作は複雑であるにもかかわらず検者の経験によるところが大きいので、眼底観察に長時間を要し、検者や被検者に負担がかかっていた。
【００１３】
本発明は上記事情に鑑みてなされたものであり、本発明の目的は、実体角を変換するための実体角変換部を有する実体角変換ユニットを設け、必要に応じて実体角変換ユニットの実体角変換部を左右光軸に対して挿脱させることにより、所定の実体角を容易に選択して被検者の目の前部および後部の観察や検査が可能な双眼用の立体顕微鏡を提供することである。
【００１４】
また、本発明の目的は、焦点距離の異なる対物レンズユニットに交換して顕微鏡部を左右光軸に平行な方向に移動させることにより、焦点距離を容易に変更でき、さらにアライメント光源ユニットやレーザ光出射ユニット等の付属品を取り付け可能な立体顕微鏡を提供することである。
【００１５】
さらに、本発明の目的は、前置きレンズを左右光軸に平行な方向に移動させまたは左右光軸に対して挿脱することにより、前置きレンズを最適な位置に配置でき、眼底観察等を容易にかつ迅速に行うことが可能な細隙灯顕微鏡を提供することである。
【００１６】
【課題を解決するための手段】
上記課題を解決するために、請求項１記載の発明は、左右光軸を有する双眼用の立体顕微鏡において、対物レンズユニットと、接眼レンズを有する接眼鏡ユニットと、前記対物レンズユニットと接眼鏡ユニットとの間に配置される変倍光学系ユニットと、前記左右光軸の相対位置を変えて実体角を変換する実体角変換部、及び前記実体角変換部を前記左右光軸上に対して挿脱する手段からなり、前記対物レンズユニットと前記変倍光学系ユニットとの間に着脱可能に装着される実体角変換ユニットと、前記変倍光学系ユニットと前記接眼鏡ユニットとを前記左右光軸と平行な方向に移動させるための移動手段と、を備え、前記実体角変換ユニットを脱した場合、前記移動手段により、当該実体角変換ユニットを脱したことにより発生する前記左右光軸上のスペースを埋める方向に、前記変倍光学系ユニットと前記接眼鏡ユニットとを移動させること、を特徴とする。
【００１７】
上記請求項１に記載の発明の立体顕微鏡において、請求項２に記載の発明は、前記実体角変換部は異なった実体角に変換するための複数の変換器を有することを特徴とする。
【００１８】
上記請求項１又は２に記載の発明の立体顕微鏡において、請求項３に記載の発明は、前記対物レンズユニットは、焦点距離の異なる対物レンズユニットに交換可能であること、を特徴とする。
【００１９】
請求項４に記載の発明は、前記移動手段により、前記変倍光学系ユニット及び前記接眼鏡ユニットを前記対物レンズユニットの焦点距離を基にして移動させること、を特徴とする。
【００２０】
請求項５に記載の発明は、上記請求項１乃至４のいずれかに記載の立体顕微鏡と前置きレンズと、前記前置きレンズを前記左右光軸と平行な方向に移動させる手段と、を備えた細隙灯顕微鏡である。
【００２１】
請求項６に記載の発明は、上記請求項１乃至４のいずれかに記載の立体顕微鏡と前置きレンズと、前記前置きレンズを前記左右光軸に対して挿脱する手段と、を備えた細隙灯顕微鏡である。
【００２２】
【発明の実施の形態】
以下、本発明の実施の形態について図面を参照して説明する。
【００２３】
（実施の形態１）
本発明の第１の実施の形態では、双眼用の立体顕微鏡において対物レンズユニットと変倍光学系ユニットとの間にプリズム等で構成される実体角変換部を有する実体角変換ユニットを設け、立体顕微鏡の立体角を変換している。
【００２４】
図１は本発明の第１の実施の形態の立体顕微鏡の構成を示す平面図、図２は本発明の第１の実施の形態の立体顕微鏡の構成を示す側面図、図３は本発明の第１の実施の形態の立体顕微鏡の光学系の構成を示す図である。図１、図２、および図３において、本発明の第１の実施の形態の双眼用の立体顕微鏡１０は、被検者の目等の観察対象物Ｏと対向して設けられる対物レンズ１ａを備えた対物レンズユニット１と、対物レンズ１ａを通った２系統の観察光束を屈折させて左右光軸Ｌ１、Ｌ２の相対位置を変化させ実体角を変換する実体角変換部（後述）を備えた実体角変換ユニット６と、実体角変換ユニット６を通った２系統の観察光束に関してそれぞれ変倍を行う変倍光学系２ａ、２ｂを備えた変倍光学系ユニット２と、変倍光学系ユニット２によって変倍を行った観察光束を所定の位置に結像して観察像を得る結像レンズ３ａ、３ｂ、結像レンズ３ａ、３ｂにより得た観察像を正立させる正立プリズム４ａ、４ｂ、および接眼レンズ５ａ、５ｂを備えた接眼鏡ユニット５とによって構成され、各ユニットは、観察対象物Ｏから離れる方向に向かって双眼用の左右光軸Ｌ１、Ｌ２に沿って対物レンズユニット１、実体角変換ユニット６、変倍光学系ユニット２、および接眼鏡ユニット５の順に連結して配置されている。
【００２５】
変倍光学系ユニット２には種々の倍率を選択可能な変倍調整ダイアル８、９が設けられ、変倍調整ダイアル８、９により観察範囲を選択することができる。
【００２６】
次に、本発明の第１の実施の形態の立体顕微鏡の動作について説明する。なお、図３に示す立体顕微鏡の光学系の構成においては、実体角変換ユニット６の実体角変換部は左右光軸Ｌ１、Ｌ２上に配置されていないので、実体角α１（例えば１３゜）が得られ、これにより、例えば被検者の目の前部の観察や検査が容易となる。
【００２７】
図４は本発明の第１の実施の形態の立体顕微鏡における実体角変換ユニットの構成を示す概略図、図５は本発明の第１の実施の形態の立体顕微鏡において実体角変換ユニットの実体角変換部が左右光軸上に配置された場合の光学系の構成を示す図である。上述したように、対物レンズユニット１と変倍光学系ユニット２との間に設けられている実体角変換ユニット６は、立体顕微鏡の実体角を変換するプリズム６ａ、６ｂやプリズム６ａ、６ｂを設置するための設置部材１２等によって構成される実体角変換部１８と、実体角変換部１８を上下方向Ｙ１に移動可能にして実体変換部１８を左右光軸Ｌ１、Ｌ２に挿脱させるための支柱１１ａ、１１ｂを有している。
【００２８】
図４に示すように、実体角変換部１８のプリズム６ａ、６ｂは、後述するように接着剤等を用いてその一部を接着することにより一体化して構成されており、設置部材１２上に設置されている。また、支柱１１ａ、１１ｂの両端部は実体角変換ユニット６の上下内側面に固定して設けられている。さらに、実体角変換部１８の設置部材１２は支柱１１ａ、１１ｂと移動可能に連結しており、これにより、移動レバー７によって実体角変換部１８を上下方向Ｙ１に移動可能としている。
【００２９】
このように構成された実体角変換ユニット６において、被検者の目の観察や検査に必要な実体角に応じて移動レバー７を上方向に移動させる。これにより、支柱１１ａ、１１ｂに沿って実体角変換部１８が上方向に移動し、左右光軸Ｌ１、Ｌ２上に配置される。従って、図５に示すような立体顕微鏡の光学系が構成されて実体角α２（例えば４．５゜）が得られるので、例えば被検者の目の後部の観察や検査が容易となる。
【００３０】
以上のように、実体角を変換する実体角変換部を必要な実体角に応じて観察光束の左右光軸に対して挿脱している。従って、通常の観察（実体角がα１）時においては、観察光束が変位していない位置で左右光軸上から実体角変換部が取り除かれるので、左右光軸上に不要な光学部材が配置されることがなく、これにより、より鮮明な観察像を得ることができる。
【００３１】
図６は本発明の第１の実施の形態の立体顕微鏡の実体角変換ユニットの実体角変換部の構成を示す平面図、図７および図８は本発明の第１の実施の形態の立体顕微鏡の実体角変換ユニットの実体角変換部の構成を示す側面図である。なお、図７は図６に示す実体角変換部を矢印Ａ１で示す方向から見た図、図８は図６に示す実体角変換部を矢印Ａ２で示す方向から見た図である。図６、図７、および図８において、実体角変換部１８は、実体角を変換するためのプリズム６ａ、６ｂと、プリズム６ａ、６ｂを設置するための設置部材１２と、実体角変換部１８を上下方向Ｙ１に移動させるための移動レバー７とを有している。
【００３２】
図６に示すように、プリズム６ａ、６ｂは、互いに同じ形状を有し、接着剤等を用いて１つの面を線対称に接着することにより一体化して構成され、設置部材１２上に設置されている。また、プリズム６ａ、６ｂはプリズム押えパッド１３ａ、１３ｂを介してプリズム押え板１４ａ、１４ｂによって保持されている。なお、プリズム押えパッド１３ａ、１３ｂは、ゴム等で構成され、プリズム６ａ、６ｂとの接触部品として用いられる。さらに、プリズム押え板１４ａ、１４ｂはプリズム６ａ、６ｂの位置ずれを防止するための部品として用いられる。プリズム押え板１４ａ、１４ｂの各端部にはプリズム押え板固定ビス１５ａ、１５ｂ、１５ｃ、１５ｄが取り付けられる。プリズム押え板固定ビス１５ａ、１５ｂ、１５ｃ、１５ｄはプリズム押え板１４ａ、１４ｂを固定するための部品としてそれぞれ用いられる。
【００３３】
移動レバー７は、設置部材１２の底面１２ａに取り付けられ、底面１２ａから下向きに棒状に形成されている。移動レバー７の上下方向Ｙ１の移動に伴って実体角変換部１８が支柱１１ａ、１１ｂに沿って上下方向Ｙ１に移動し、左右光軸Ｌ１、Ｌ２上に配置される。
【００３４】
以上のように、実体角変換ユニット６の実体角変換部１８を必要な実体角に応じて観察光束の左右光軸Ｌ１、Ｌ２に対して上下方向（垂直方向）に挿脱している。従って、（１）通常の観察（実体角がα１）時においては、観察光束が変位していない位置で左右光軸上から実体角変換ユニット６の実体角変換部１８が取り除かれるので、左右光軸Ｌ１、Ｌ２上に不要な光学部材が配置されることがなく、これにより、より鮮明な観察像を得ることができる。（２）また、左右光軸Ｌ１、Ｌ２のずれに影響を与える実体角変換部１８のプリズム６ａ、６ｂに対して厳密な部品精度（直角度）が要求されないので、光学部品の簡素化を図ることができる。（３）さらに、実体角変換ユニット６の実体角変換部１８による実体角の変換においては、従来のように実体角を変換する光学部品を回転させるための回転機構を設ける必要がないので、左右光軸のずれに影響を与える回転調整機構が不要となり、実体角の変換のための機構を簡素化することができる。
【００３５】
本発明の第１の実施の形態の立体顕微鏡の実体角変換ユニットは上記のように構成され、実体角変換部を左右光軸に対して挿脱することにより実体角を変換しているが、次に示すようにそれぞれ異なる実体角を有する複数の実体角変換部を備えた実体角変換ユニットを用いてもよい。このような実体角変換ユニットを用いることにより必要に応じて実体角を選択する幅が増えて被検者の目の観察や検査をより容易に行うことができる。
【００３６】
図９は本発明の第１の実施の形態の立体顕微鏡の実体角変換ユニットの他の構成を示す概略図である。図９では複数（ここでは２つ）の実体角変換部１８、１８′を有する実体角変換ユニット６′を立体顕微鏡１０に設けている。実体角変換部１８′は、実体角変換部１８と同様な構成であり、プリズム６ａ、６ｂが変換する実体角（α２が例えば４．５゜）とは異なる実体角に変換するプリズム６ａ′、６ｂ′やプリズム６ａ′、６ｂ′を設置する設置部材１２′等によって構成されている。また、支柱１１ａ′、１１ｂ′の両端部は実体角変換ユニット６′の上下内側面に固定して設けられ、実体角変換部１８′を上下方向Ｙ１に移動可能としている。従って、被検者の目の観察や検査に必要な実体角に応じて移動レバー７を上方向に移動させ、これにより支柱１１ａ′、１１ｂ′に沿って実体角変換部１８′を上方向に移動させて左右光軸Ｌ１、Ｌ２上に配置する。
【００３７】
ここで、本発明の第１の実施の形態において実体角変換ユニットが装着可能な立体顕微鏡について説明する。
【００３８】
図１０は従来の立体顕微鏡の構成を示す図である。図１０に示す従来の立体顕微鏡では、対物レンズユニット５１と、変倍調整レバー５９を有する変倍光学系ユニット５２と、結像レンズ、正立プリズム、および接眼レンズを有する接眼鏡ユニット５５とを備えた顕微鏡部と、この顕微鏡部を支えるアーム部６０とが一体化されているため、実体角は被検者の目の前部または後部の観察用に固定されていた。
【００３９】
そこで、本発明の第１の実施の形態においては、立体顕微鏡に対して着脱可能な実体角変換ユニットを用いる。
【００４０】
図１１は本発明の第１の実施の形態のアーム部を備えた立体顕微鏡の構成を示す図である。図１１において、立体顕微鏡とアーム部２０の間には立体顕微鏡の変倍光学系ユニット２（および接眼鏡ユニット５）を左右光軸に平行な方向Ｘ１にスライド移動可能なスライド部２１が設けられている。スライド部２１と変倍光学系ユニット２とが接する部分はアリ構造となっており、スライド部２１に設けられているアリ溝２１ａに沿って方向Ｘ１に変倍光学系ユニット２をスライド移動可能としている。
【００４１】
例えば、実体角をα２として観察を行うために実体角変換ユニット６を対物レンズユニット１と変倍光学系ユニット２との間に装着させる場合には、図１２に示すように、変倍光学系ユニット２をスライド部２１のアリ溝２１ａに沿って接眼鏡ユニット５側（検者側）に向けてスライド移動させる。これにより、図１３に示すように、実体角変換ユニット６が立体顕微鏡に装着されるので、立体顕微鏡の実体角を容易に変換することが可能となる。なお、対物レンズユニット１と実体角変換ユニット６とが接する部分や実体角変換ユニット６と変倍光学系ユニット２とが接する部分もそれぞれアリ構造となっており、アリ溝２２、２３に沿って実体角変換ユニット６を下方向にスライド移動させて立体顕微鏡に装着している。
【００４２】
なお、図１４は図１３に示すように実体角変換ユニット６が装着された立体顕微鏡を方向Ｂ１から見た図、図１５は図１３に示すように実体角変換ユニット６が装着された立体顕微鏡を方向Ｂ２から見た図である。
【００４３】
以上のような構成において、通常の観察（実体角がα１）を行うために実体角変換ユニット６を使用しない場合には、実体角変換ユニット６を立体顕微鏡からアリ溝２２、２３に沿って上方向に取り外し、変倍光学系ユニット２を対物レンズユニット１側にスライド移動させることが可能である。これにより、対物レンズユニット１と接眼鏡ユニット５との間の距離を短くすることができるので立体顕微鏡の操作が容易となり、また被検者の目と対物レンズユニット１との距離を一定に保持することができるので焦点合わせを行う必要がなく、被検者の目の観察や検査を容易にかつ迅速に行うことが可能となる。
【００４４】
（実施の形態２）
本発明の第２の実施の形態では、双眼用の立体顕微鏡において実体角変換ユニットおよびビームスプリッタユニットをそれぞれ設けている。
【００４５】
図１６は本発明の第２の実施の形態のアーム部を備えた立体顕微鏡に実体角変換ユニットおよびビームスプリッタユニットをそれぞれ装着した場合を示す図、図１７は本発明の第２の実施の形態の立体顕微鏡に実体角変換ユニットおよびビームスプリッタユニットを装着した場合の光学系の構成を示す図である。
【００４６】
図１６および図１７に示すように、本発明の第２の実施の形態の立体顕微鏡は、観察対象物Ｏと対向して設けられる対物レンズ１ａを備えた対物レンズユニット１と、対物レンズ１ａを通った２系統の観察光束を屈折させて左右光軸Ｌ１、Ｌ２の相対位置を変化させ実体角を変換する実体角変換部を構成するプリズム６ａ、６ｂ等を備えた実体角変換ユニット６と、実体角変換ユニット６を通った２系統の観察光束に関してそれぞれ変倍を行う変倍光学系２ａ、２ｂを備えた変倍光学系ユニット２と、変倍光学系ユニット２により変倍を行った観察光束（ビーム）の一部を分岐するためのビームスプリッタ３０ａ、３０ｂを備えたビームスプリッタユニット３０と、ビームスプリッタユニット３０を通った観察光束を所定の位置に結像して観察像を得る結像レンズ３ａ、３ｂ、結像レンズ３ａ、３ｂにより得た観察像を正立させる正立プリズム４ａ、４ｂ、および接眼レンズ５ａ、５ｂを備えた接眼鏡ユニット５とによって構成されている。
【００４７】
なお、ビームスプリッタユニット３０には、図示しないテレビカメラや写真機等の撮影ユニットや助手等が検者と同時に同じ観察を行うことができる共覧ユニットが取り付け可能である。
【００４８】
対物レンズユニット１、実体角変換ユニット６、変倍光学系ユニット２、ビームスプリッタユニット３０、および接眼鏡ユニット５の各ユニットは、観察対象物Ｏから離れる方向に向かって双眼用の左右光軸Ｌ１、Ｌ２に沿って対物レンズユニット１、実体角変換ユニット６、変倍光学系ユニット２、ビームスプリッタユニット３０、および接眼鏡ユニット５の順に連結して配置され、アーム部２０により支えられている。これらの各ユニットを備えた立体顕微鏡とアーム部２０との間には、上述したスライド部２１と同様な構成を有し、変倍光学系ユニット２および接眼鏡ユニット５をスライド移動させることが可能なスライド部２１′が設けられている。
【００４９】
これにより、必要に応じて変倍光学系ユニット２および接眼鏡ユニット５をスライド移動させ、実体角変換ユニット６を対物レンズユニット１と変倍光学系ユニット２との間に装着可能とし、ビームスプリッタユニット３０を変倍光学系ユニット２と接眼鏡ユニット５との間に装着可能としている。
【００５０】
以上のことから、本発明の第２の実施の形態の立体顕微鏡によれば、実体角を変換して被検者の目の前部および後部の観察や検査を可能にするとともに、テレビカメラや写真機等の撮影ユニットや助手等が検者と同時に同じ観察を行うことができる共覧ユニットをビームスプリッタユニットに取り付け可能としている。従って、被検者の目の前部および後部の観察や検査をより容易にかつ広範囲に行うことができる。
【００５１】
（実施の形態３）
本発明の第３の実施の形態では、双眼用の立体顕微鏡において、異なった焦点距離を有する対物レンズユニットに交換し、顕微鏡部を左右光軸に沿ってスライド移動可能にし、さらに角膜厚測定ユニットやレーザ光出射ユニットのようなレーザ装置等の付属品を取り付け可能にしている。
【００５２】
図１８は本発明の第３の実施の形態の立体顕微鏡の顕微鏡部をスライド移動させて焦点距離の異なる他の対物レンズユニットを装着した場合を示す図である。図１８において、焦点距離ａ１を有する対物レンズユニット１と異なる焦点距離ａ２（ａ１＜ａ２）を有する対物レンズユニット４０を変倍光学系ユニット２に装着した場合には、対物レンズユニット４０の焦点距離ａ２に応じて顕微鏡部の変倍光学系ユニット２を左右光軸Ｌ３に平行な方向で接眼鏡ユニット５側（検者側）に向かってスライド部２１のアリ溝２１ａに沿ってスライド移動させる。
【００５３】
なお、図１８に示すように、変倍光学系ユニット２を接眼鏡ユニット５側に向かってスライド移動させた場合には、立体顕微鏡の操作距離（ピント位置から対物レンズユニット４０の位置までの距離）が長くなるので、立体顕微鏡の操作空間が広くなる。従って、この操作空間に種々の付属品を配置することが可能となる。
【００５４】
図１９においては、例えば細隙灯顕微鏡において角膜厚測定ユニット４１を付属品として顕微鏡部の変倍光学系ユニット２上に装着している。また、図２０においては、光凝固のためのレーザ光を出射するレーザ光出射ユニット４２を保持するための保持アダプタ４３を付属品として顕微鏡部の変倍光学系ユニット２に装着している。
【００５５】
以上のように、本発明の第３の実施の形態の立体顕微鏡によれば、焦点距離の異なる対物レンズユニットに交換し、交換した対物レンズユニットの焦点距離に応じて顕微鏡部を左右光軸に平行な方向に移動することができるので、対物レンズユニットの焦点距離を容易に変更することができる。また、これにより、立体顕微鏡の操作空間が広がるので、従来では取り付けることができなかった種々の付属品が顕微鏡部に取り付け可能となる。
【００５６】
なお、付属品を使用する必要がなくなった場合には、装着されている対物レンズユニットを元の対物レンズユニットと交換し、交換した対物レンズユニットの焦点距離に応じて顕微鏡部を被検者側に向かってスライド移動させることにより、立体顕微鏡の操作空間を狭くすることができるので、検者にとっては立体顕微鏡の操作が容易となる。
【００５７】
（実施の形態４）
本発明の第４の実施の形態では、前置きレンズを備えた立体顕微鏡において、前置きレンズを左右光軸と平行な方向に移動させまたは左右光軸に対して挿脱することにより、前置きレンズを眼底観察等に最適な位置に配置させている。
【００５８】
図２１は本発明の第４の実施の形態の立体顕微鏡を備えた細隙灯顕微鏡の外観構成を示す図である。また、図２２は本発明の第４の実施の形態の立体顕微鏡を備えた細隙灯顕微鏡における前置レンズを移動させる制御システムの構成を示すブロック図である。
【００５９】
図２１および図２２において、細隙灯顕微鏡は、テーブル６０上に移動可能に設けられた基台６１と、基台６１を水平方向および前後方向に２次元的に移動させる移動機構部６２と、検者が基台６１の移動操作を行うための操作レバーとして機能するジョイスティック６３と、被検者の顔を載せるための顎受け台６４と、立体顕微鏡６５と、立体顕微鏡６５を支持するための顕微鏡アーム部６６と、被検者の目にスリット光を照射するための照明ユニット７９と、眼底観察等に用いられる前置きレンズ６７と、前置きレンズ６７を保持するためのレンズ保持部材６８と、レンズ保持部材６８を左右光軸Ｌ４と平行な方向に移動させるためのモータ７１を駆動する駆動回路７２およびレンズ保持部材６８の回転軸６８ａを回転させるためのモータ７３を駆動する駆動回路７４を備えた駆動ユニット７５と、駆動ユニット７５の動作を検者が操作するための操作ユニット８０と、前置きレンズ６７の種類を識別するために前置きレンズ６７の例えば重量に関する情報を検出する検出素子６９と、検出素子６９の出力を基に前置きレンズ６７の重量を測定する測定回路７０と、前置きレンズ６７の重量および種類と細隙灯顕微鏡の観察条件（スリット幅、スリット長さ、スリット光の光量等）の対応関係を示す対応テーブル等を記録する記録ユニット７７と、測定回路７０の出力を基に前置きレンズ６７の種類を判断し、記録ユニット７７の対応テーブルを参照してその判断結果に対応する細隙灯顕微鏡の観察条件を基に例えば照明ユニット７９の動作を制御する制御ユニット７８と、細隙灯顕微鏡の観察条件を表示する表示ユニット７６とによって構成されている。
【００６０】
なお、検出素子６９としては、前置きレンズ６７の重量を検出する検出素子に限定されることなく、前置きレンズ６７の種類を示す情報を検出する素子であればよい。
【００６１】
上述のように構成された細隙灯顕微鏡の作用について説明する。
【００６２】
まず、前置きレンズ６７をレンズ保持部材６８に取り付けた後、操作ユニット８０を操作して駆動ユニット７５を動作させ、駆動回路７２によりモータ７１を駆動してレンズ保持部材６８を左右光軸Ｌ４と平行な方向に移動させる。
【００６３】
同時に、前置きレンズ６７の重量に関する情報を検出素子６９により検出し、測定回路７０によってその検出結果から前置きレンズ６７の重量を測定した後、測定結果を制御ユニット７８に出力する。
【００６４】
制御ユニット７８は、測定回路７０の測定結果を基に記録ユニット７７に記録されている対応テーブルを参照して細隙灯顕微鏡の観察条件を読み出し、読み出した観察条件を表示ユニット７６に表示する。
【００６５】
また、制御ユニット７８は、記録ユニット７７から読み出した細隙灯顕微鏡の観察条件を基にして例えば照明ユニット７９の動作を制御して、所定のスリット幅およびスリット長さで、所定の光量を有するスリット光を被検者の目に照射する。
【００６６】
このように、レンズ保持ユニット６８に保持された前置きレンズ６７の種類に応じて細隙灯顕微鏡の観察条件を自動的に設定することにより、眼底観察等を容易にかつ迅速に行えるようにしている。
【００６７】
なお、レンズ保持部材６８に保持されている前置きレンズ６７を使用する必要がない場合には、操作ユニット８０を操作して駆動ユニット７５を動作させ、駆動回路７４によるモータ７３の駆動により回転軸６８ａを回転させることにより、レンズ保持部材６８が保持している前置きレンズ６７を左右光軸Ｌ４上から容易に取り除くことができる。
【００６８】
以上のように、本発明の第４の実施の形態の立体顕微鏡によれば、前置きレンズを左右光軸に平行な方向に移動させまたは左右光軸に対して挿脱することにより、前置きレンズを最適な位置に配置でき、これにより眼底観察等を容易にかつ迅速に行うことが可能となる。
【００６９】
【発明の効果】
以上、本発明によれば、双眼用の立体顕微鏡において、実体角を変換するための実体角変換部を備えた実体角変換ユニットを設け、必要に応じて実体角変換ユニットの実体角変換部を左右光軸に対して挿脱させることにより、所定の実体角を容易に選択でき、これにより被検者の目の前部および後部の観察や検査を容易にする。
【００７０】
また、本発明によれば、双眼用の立体顕微鏡において、焦点距離の異なる対物レンズユニットに交換し、交換した対物レンズユニットの焦点距離に応じて顕微鏡部を左右光軸に平行な方向に移動させることにより、対物レンズユニットの焦点距離を容易に変更することができる。また、これにより、立体顕微鏡の操作空間が広がるので、従来では取り付けることができなかった種々の付属品が顕微鏡部に取り付け可能となる。さらに、付属品を使用する必要がなくなった場合には、取り付けられている付属品を取り外し、元の対物レンズユニットと交換し、顕微鏡部を被検者側にスライド移動させることにより、立体顕微鏡の操作空間が狭くなるので、検者にとっては立体顕微鏡の操作が容易となる。
【００７１】
さらに、本発明によれば、双眼用の立体顕微鏡において、前置きレンズを左右光軸に平行な方向に移動させまたは左右光軸に対して挿脱することにより、前置きレンズを最適な位置に配置でき、これにより眼底観察等を容易にかつ迅速に行うことが可能となる。
【図面の簡単な説明】
【図１】本発明の第１の実施の形態の立体顕微鏡の構成を示す平面図である。
【図２】本発明の第１の実施の形態の立体顕微鏡の構成を示す側面図である。
【図３】本発明の第１の実施の形態の立体顕微鏡の光学系の構成を示す図である。
【図４】本発明の第１の実施の形態の立体顕微鏡における実体角変換ユニットの構成を示す概略図である。
【図５】本発明の第１の実施の形態の立体顕微鏡において実体角変換ユニットの実体角変換部が左右光軸上に配置された場合の光学系の構成を示す図である。
【図６】本発明の第１の実施の形態の立体顕微鏡の実体角変換ユニットの実体角変換部の構成を示す平面図である。
【図７】本発明の第１の実施の形態の立体顕微鏡の実体角変換ユニットの実体角変換部の構成を示す側面図である。
【図８】本発明の第１の実施の形態の立体顕微鏡の実体角変換ユニットの実体角変換部の構成を示す側面図である。
【図９】本発明の第１の実施の形態の立体顕微鏡の実体角変換ユニットの他の構成を示す概略図である。
【図１０】従来の立体顕微鏡の構成を示す図である。
【図１１】本発明の第１の実施の形態のアーム部を備えた立体顕微鏡の構成を示す図である。
【図１２】本発明の第１の実施の形態のアーム部を備えた立体顕微鏡に実体角変換ユニットを装着する場合を説明するための図である。
【図１３】本発明の第１の実施の形態のアーム部を備えた立体顕微鏡に実体角変換ユニットを装着した場合を示す図である。
【図１４】本発明の第１の実施の形態のアーム部を備えた立体顕微鏡に実体角変換ユニットを装着した場合を示す平面図である。
【図１５】本発明の第１の実施の形態のアーム部を備えた立体顕微鏡に実体角変換ユニットを装着した場合を示す正面図である。
【図１６】本発明の第２の実施の形態のアーム部を備えた立体顕微鏡に実体角変換ユニットおよびビームスプリッタユニットを装着した場合を示す図である。
【図１７】本発明の第２の実施の形態の立体顕微鏡に実体角変換ユニットおよびビームスプリッタユニットを装着した場合の光学系の構成を示す図である。
【図１８】本発明の第３の実施の形態の立体顕微鏡の顕微鏡部をスライド移動させて焦点距離の異なる他の対物レンズユニットを装着した場合を示す図である。
【図１９】本発明の第３の実施の形態の立体顕微鏡の顕微鏡部をスライド移動させて他の対物レンズユニットおよびアライメント光源ユニットを装着した場合を示す図である。
【図２０】本発明の第３の実施の形態の立体顕微鏡の顕微鏡部をスライド移動させて他の対物レンズユニットおよびレーザ光出射ユニットを装着した場合を示す図である。
【図２１】本発明の第４の実施の形態の立体顕微鏡を備えた細隙灯顕微鏡の外観構成を示す図である。
【図２２】本発明の第４の実施の形態の立体顕微鏡を備えた細隙灯顕微鏡における前置レンズを移動させる制御システムの構成を示すブロック図である。
【符号の説明】
α１、α２  実体角
Ｌ１、Ｌ２  左右光軸
Ｏ  観察対象物
１、４０  対物レンズユニット
１ａ  対物レンズ
２  変倍光学系ユニット
２ａ、２ｂ  変倍光学系
３ａ、３ｂ  結像レンズ
４ａ、４ｂ  正立プリズム
５  接眼鏡ユニット
５ａ、５ｂ  接眼レンズ
６  実体角変換ユニット
６ａ、６ｂ、６ａ′、６ｂ′  プリズム
７  移動レバー
８、９  変倍調整ダイアル
１０、６５  立体顕微鏡
１１ａ、１１ｂ、１１ａ′、１１ｂ′  支柱
１２、１２′  設置部材
１３ａ、１３ｂ  プリズム押えパッド
１４ａ、１４ｂ  プリズム押え板
１５ａ、１５ｂ、１５ｃ、１５ｄ  プリズム押え板固定ビス
１８、１８′  実体角変換部
２０  アーム部
２１、２１′  スライド部
３０  ビームスプリッタユニット
３０ａ、３０ｂ  ビームスプリッタ
４１  角膜厚測定ユニット
４２  レーザ光出射ユニット
４３  保持アダプタ
６１  基台
６２  移動機構部
６３  ジョイスティック
６４  顎受け台
６６  顕微鏡アーム部
６７  前置きレンズ
６８  レンズ保持部材
６９  検出素子
７０  測定回路
７１、７３  モータ
７２、７４  駆動回路
７５  駆動ユニット
７６  表示ユニット
７７  記録ユニット
７８  制御ユニット
７９  照明ユニット
８０  操作ユニット
【図１】
0004302213.tif 000002
【図２】
0004302213.tif 000003
【図３】
0004302213.tif 000004
【図４】
0004302213.tif 000005
【図５】
0004302213.tif 000006
【図６】
0004302213.tif 000007
【図７】
0004302213.tif 000008
【図８】
0004302213.tif 000009
【図９】
0004302213.tif 000010
【図１０】
0004302213.tif 000011
【図１１】
0004302213.tif 000012
【図１２】
0004302213.tif 000013
【図１３】
0004302213.tif 000014
【図１４】
0004302213.tif 000015
【図１５】
0004302213.tif 000016
【図１６】
0004302213.tif 000017
【図１７】
0004302213.tif 000018
【図１８】
0004302213.tif 000019
【図１９】
0004302213.tif 000020
【図２０】
0004302213.tif 000021
【図２１】
0004302213.tif 000022
【図２２】
0004302213.tif 000023